(57)【要約】【課題】放熱板の上部に物体が乗り上げてしまうのを抑制することのできる照明装置および放熱部材を得る。【解決手段】照明装置１は、照明器具本体１１０の一側に固定される放熱部１２０を有し、この放熱部１２０は、照明器具本体１１０から離れる方向に突設された複数の放熱板１２５で構成される放熱板群１２２を有している。また、複数の放熱板１２５の端面１２７が位置する領域Ｒを近似する仮想面Ｃを放熱板群１２２の表面１２６とした場合、照明器具本体１１０の上側に放熱板群１２２が配置されるようにした状態における側面視で、放熱板群１２２の表面１２６が、上方に向けて先細りとなるテーパ部１２８を有している。そして、テーパ部１２８は、始点１２８ａが放熱板群１２２の幅方向一端の点Ｐ１および幅方向他端の点Ｐ２となり、終点１２８ｂが最上部に形成された頂点Ｐ３となるように形成されている。【選択図】図５
2018101479.tif 000002
【特許請求の範囲】
【請求項１】
光源を有する照明器具本体と、前記照明器具本体の一側に固定されて前記光源で生じた熱を放熱させる放熱部と、を有し、前記放熱部を前記光源からの光が照射される照明空間に露出させた状態で被固定部に固定される照明装置であって、
前記放熱部は、前記照明器具本体から離れる方向に延在するように突設された複数の放熱板で構成される放熱板群を有しており、
前記複数の放熱板の端面が位置する領域を近似する仮想面を前記放熱板群の表面とした場合、
前記照明器具本体の上側に前記放熱板群が配置されるようにした状態における側面視で、前記放熱板群の表面が、上方に向けて先細りとなるテーパ部を有しており、
前記テーパ部は、始点が前記放熱板群の幅方向一端の点および幅方向他端の点であり、終点が最上部に形成された頂点であることを特徴とする照明装置。
【請求項２】
前記テーパ部は、前記幅方向一端の点と前記頂点とを結ぶ直線状の線分と、前記幅方向他端の点と前記頂点とを結ぶ直線状の線分と、で形成されていることを特徴とする請求項１に記載の照明装置。
【請求項３】
前記テーパ部は、前記放熱板の高さを、前記幅方向の一端から他端に向かうにつれて高くすることで形成されていることを特徴とする請求項１または請求項２に記載の照明装置。
【請求項４】
前記テーパ部は、前記放熱板の高さを、前記幅方向の両端から中央に向かうにつれて高くすることで形成されていることを特徴とする請求項１または請求項２に記載の照明装置。
【請求項５】
前記放熱部が、前記照明器具本体の一側に着脱可能に取り付けられるベース部と、前記ベース部から突設された前記放熱板群と、を備える放熱部材であることを特徴とする請求項１〜４のうちいずれか１項に記載の照明装置。
【請求項６】
前記放熱部材の前記照明器具本体への着脱がスライド機構により行われることを特徴とする請求項５に記載の照明装置。
【請求項７】
前記放熱部材の前記照明器具本体への着脱が嵌め込み機構により行われることを特徴とする請求項５または請求項６に記載の照明装置。
【請求項８】
請求項５〜７のうちいずれか１項に記載の照明装置に用いられる放熱部材。
【請求項９】
発熱する被取付部材に取り付けられて、前記被取付部材で生じた熱を放熱させる放熱部材であって、
前記被取付部材の一側に着脱可能に取り付けられるベース部と、
前記ベース部から離れる方向に延在するように突設された複数の放熱板で構成される放熱板群と、
を備え、
前記複数の放熱板の端面が位置する領域を近似する仮想面を前記放熱板群の表面とした場合、
前記ベース部の上側に前記放熱板群が配置されるようにした状態における側面視で、前記放熱板群の表面が、上方に向けて先細りとなるテーパ部を有しており、
前記テーパ部は、始点が前記放熱板群の幅方向一端の点および幅方向他端の点であり、終点が最上部に形成された頂点であることを特徴とする放熱部材。
【発明の詳細な説明】
【技術分野】
【０００１】
本発明は、照明装置および放熱部材に関する。
【背景技術】
【０００２】
従来、照明装置として、光源を有する照明器具本体と、照明器具本体の一側から半れる方向に突設される複数の放熱板と、を備えるものが知られている（例えば、特許文献１参照）。
【０００３】
この特許文献１には、体育館やホール等の天井の高い建物の天井に設置されて照明空間を上方から照明する、いわゆる高天井用の照明装置が開示されている。このような高天井用の照明装置は、一般的に、放熱板を光源からの光が照射される照明空間に露出させた状態で体育館やホール等の天井に設置されるものである。
【先行技術文献】
【特許文献】
【０００４】
【特許文献１】特開２０１４−０２６８０４号公報
【発明の概要】
【発明が解決しようとする課題】
【０００５】
しかしながら、上記特許文献１に開示されている照明装置では、複数の放熱板を照明器具本体に固定した際に、複数の放熱板の上端によって平坦部が形成されるようになっている。そのため、例えば、体育館の天井に照明装置を設置した場合には、バドミントンのシャトル等の物体が放熱板の上部に乗っかってしまうおそれがある。
【０００６】
このように、上記従来の技術では、放熱板の上部にバドミントンのシャトル等の物体が乗っかってしまうおそれがあった。
【０００７】
そこで、本発明は、放熱板の上部に物体が乗り上げてしまうのを抑制することのできる照明装置および放熱部材を得ることを目的とする。
【課題を解決するための手段】
【０００８】
本発明にかかる照明装置は、光源を有する照明器具本体と、前記照明器具本体の一側に固定されて前記光源で生じた熱を放熱させる放熱部と、を有し、前記放熱部を前記光源からの光が照射される照明空間に露出させた状態で被固定部に固定されるものである。
【０００９】
また、前記放熱部は、前記照明器具本体から離れる方向に延在するように突設された複数の放熱板で構成される放熱板群を有している。
【００１０】
また、前記複数の放熱板の端面が位置する領域を近似する仮想面を前記放熱板群の表面とした場合、前記照明器具本体の上側に前記放熱板群が配置されるようにした状態における側面視で、前記放熱板群の表面が、上方に向けて先細りとなるテーパ部を有している。
【００１１】
そして、前記テーパ部は、始点が前記放熱板群の幅方向一端の点および幅方向他端の点であり、終点が最上部に形成された頂点である。
【００１２】
また、本発明にかかる放熱部材は、発熱する被取付部材に取り付けられて、前記被取付部材で生じた熱を放熱させるものである。
【００１３】
前記放熱部材は、前記被取付部材の一側に着脱可能に取り付けられるベース部と、前記ベース部から離れる方向に延在するように突設された複数の放熱板で構成される放熱板群と、を備えている。
【００１４】
また、前記複数の放熱板の端面が位置する領域を近似する仮想面を前記放熱板群の表面とした場合、前記ベース部の上側に前記放熱板群が配置されるようにした状態における側面視で、前記放熱板群の表面が、上方に向けて先細りとなるテーパ部を有している。
【００１５】
そして、前記テーパ部は、始点が前記放熱板群の幅方向一端の点および幅方向他端の点であり、終点が最上部に形成された頂点である。
【発明の効果】
【００１６】
本発明によれば、放熱板の上部に物体が乗り上げてしまうのを抑制することのできる照明装置および放熱部材を得ることができる。
【図面の簡単な説明】
【００１７】
【図１】本発明の一実施形態にかかる照明装置を第１の方向から視た斜視図である。
【図２】本発明の一実施形態にかかる照明装置を第２の方向から視た斜視図である。
【図３】本発明の一実施形態にかかる照明器具を第１の方向から視た分解斜視図である。
【図４】本発明の一実施形態にかかる照明器具を第２の方向から視た分解斜視図である。
【図５】本発明の一実施形態にかかる照明器具を示す図であって、（ａ）は第２の方向から視た斜視図、（ｂ）は右側から視た側面図である。
【図６】本発明の一実施形態にかかるカバーを示す図であって、（ａ）は前側から視た側面図、（ｂ）は右側から視た側面図、（ｃ）は底面図である。
【図７】比較例にかかる照明器具を用いた場合にバドミントンのシャトルが放熱板上に乗り上げてしまう状態を説明する説明図である。
【図８】本発明の一実施形態にかかる照明器具を用いた場合にバドミントンのシャトルが放熱板から落ちる状態を説明する説明図である。
【図９】放熱部材の照明器具本体への着脱方法の一変形例を説明する図である。
【図１０】放熱部材の照明器具本体への着脱方法の他の変形例を説明する図である。
【図１１】本発明の一実施形態の第１変形例にかかる照明器具を示す図であって、（ａ）は第２の方向から視た斜視図、（ｂ）は前側から視た側面図である。
【図１２】本発明の一実施形態の第２変形例にかかる照明器具を示す図であって、（ａ）は第２の方向から視た斜視図、（ｂ）は前側から視た側面図である。
【発明を実施するための形態】
【００１８】
以下、本発明の実施形態について図面を参照しつつ詳細に説明する。なお、以下では、照明装置として、２つの照明器具が並設されるように一体化させた照明装置を例示する。また、照明装置として、体育館やホール等の天井の高い建物の天井に設置されて照明空間を上方から照明する、いわゆる高天井用の照明装置を例示する。
【００１９】
そして、照明装置における照明器具が並設されている方向（照明器具の放熱板が延在する方向）を前後方向と規定し、照明器具の放熱板が並設されている方向を幅方向と規定して説明する。
【００２０】
さらに、照明装置を天井に取り付けた状態における上側を上下方向の上側、下側を上下方向の下側と規定して説明する。
【００２１】
本実施形態にかかる照明装置１は、上述したように、２つの照明器具１０，１０を備えている。そして、２つの照明器具１０，１０を前後方向に並設されるように一体化させることで照明装置１を形成している。このように、本実施形態では、照明装置１は、２つの照明器具１０をモジュール化させた照明装置モジュールとなっている。なお、本実施形態では、２つの照明器具１０，１０をモジュール化させたものを例示しているが、３つ以上の照明器具をモジュール化させた照明装置モジュールを照明装置１とすることも可能である。また、照明装置１は、モジュール化させた照明装置モジュールに限られるものではなく、照明器具１０を１つだけ有するようにしてもよい。
【００２２】
このような照明装置１は、例えば、体育館やホールなどの高天井等の被固定部６０に固定させることができる（図１参照）。なお、図１では、被固定部を模式化した図を示している。この被固定部は、天井壁や側壁であってもよいし、天井壁や側壁等に固定された部材（例えば、天井から吊り下げ固定されたボルト等）であってもよい。
【００２３】
そして、照明装置１を被固定部６０に固定した状態で、照明器具１０，１０が、体育館やホール内の空間（照明空間）６１を上方から照明することができるようにしている。すなわち、照明装置１を被固定部６０に固定した状態で、照明器具１０，１０の主光軸方向が下方を向くようにしている。
【００２４】
この照明装置１は、図１および図２に示すように、２つの照明器具１０，１０と、２つの照明器具１０、１０を連結する一対の連結部材２０，２０と、を備えている。また、照明装置１は、被固定部６０に固定されるアーム３０と、アーム３０を一対の連結部材２０，２０に取り付けるための一対のアーム取付部材４０と、を備えている。さらに、照明装置１は、照明器具１０に電気的に接続されて照明器具１０に給電を行う電源ユニット５０を備えている。なお、本実施形態では、一対の連結部材２０、アーム３０および一対のアーム取付部材４０を用いて、照明器具１０，１０を被固定部６０に固定させるようにしたものを例示しているが、照明装置１がこれらの部材の全てを備えている必要はない。すなわち、照明装置１は、照明器具１０，１０を被固定部６０に固定させることができる構成となっていればよい。
【００２５】
各連結部材２０，２０は、例えば、帯状の金属板（例えば、ステンレス鋼板など）で構成することができ、それぞれの連結部材２０は、第１連結部２１０と、第１連結部２１０の両側に位置する２つの第２連結部２２０，２２０と、を有している（図１および図２参照）。なお、本実施形態では、それぞれの連結部材２０は、第１連結部２１０が、両側の第２連結部２２０に対して厚み方向（左右方向）に突出した形状をしている。そして、第１連結部２１０には、３つのねじ挿通孔が設けられており、第２連結部２２０，２２０には、それぞれ２つのねじ挿通孔が設けられている。
【００２６】
各連結部材２０，２０は、それぞれ、第１連結部２１０および第２連結部２２０，２２０のねじ挿通孔に通したねじ２３０を、後述する放熱部材１２０の縁部１２４に設けられたねじ孔１２４ｂに螺合させることで、２つの照明器具１０，１０に取り付けられるようになっている（図１および図２参照）。
【００２７】
アーム３０は、図１および図２に示すように、固定板３１０と、固定板３１０の左右方向における両端から下向きに突出するように連設された一対の支持板３２０，３２０と、を有しており、固定板３１０および一対の支持板３２０，３２０が一体に形成されている。このようなアーム３０は、例えば、１枚の金属板を折曲させることで形成することができる。
【００２８】
また、本実施形態では、固定板３１０の右端には、円形のボルト挿通孔３１１が設けられており、固定板３１０の左端には、長円形状のボルト挿通孔３１２が設けられている。さらに、各支持板３２０，３２０の先端部（下端部）には、円形のねじ挿通孔と弧状のねじ挿通孔３２１とが上下方向に並べて設けられている。
【００２９】
そして、各支持板３２０，３２０の２つのねじ挿通孔にそれぞれ通したねじ３３０を、後述する軸受け部４３０に設けた２つのねじ孔にそれぞれ螺合させることで、連結部材２０により連結された２つの照明器具１０，１０が、アーム３０に回転可能に支持されるようになっている。なお、本実施形態では、ねじ挿通孔３２１が弧状に形成されており、ねじ３３０を緩めることでアーム３０の角度を変えることができるようになっている。
【００３０】
アーム取付部材４０は、図１および図２に示すように、固定部４１０と、一対の取付部４２０，４２０と、軸受け部４３０と、を有している。この固定部４１０、一対の取付部４２０，４２０および軸受け部４３０は、例えば、アルミダイカストを用いて一体に形成することができる。
【００３１】
本実施形態では、固定部４１０は、下側が開放された角樋状に形成されており、一対の取付部４２０，４２０は、上下方向に長い円錐台形状に形成されている。そして、各取付部４２０，４２０の先端部（上端部）には、ねじ孔（雌ねじ）が形成されている。また、軸受け部４３０は円筒形状に形成されており、一対の取付部４２０，４２０の間に、各取付部４２０，４２０および固定部４１０と繋がった状態で配置されている。この軸受け部４３０には、２つのねじ孔が上下方向に並べて設けられている。
【００３２】
電源ユニット５０は、図１および図２に示すように、電源ブロックと、電源ブロックを収納するケース５１０と、を備えている。
【００３３】
電源ブロックは、外部より供給される電力（例えば、商用電源より供給される交流電力）を２つの照明器具１０，１０に必要とされる電力（直流電力）に変換する電力変換回路を有するものである。この電力変換回路は、例えば、全波整流器、力率改善回路（昇圧チョッパ回路）、ＤＣ／ＤＣコンバータ（降圧チョッパ回路）などで構成することができる。また、このような電源ブロックは、電力変換回路を構成する多数の回路部品をプリント配線板の表面に実装させることで構成することができる。
【００３４】
また、プリント配線板には、先端にプラグコネクタが設けられた出力ケーブルが電気的に接続されている。そして、この出力ケーブルをケース５１０の外側に引き出し、各照明器具１０，１０のレセプタクルコネクタにプラグコネクタを接続することで、電源ユニット５０（電源ブロック）と各照明器具１０，１０とが電気的に接続されるようになっている。
【００３５】
ケース５１０は、図１および図２に示すように、底板５２０と、天板５３０と、４つの側板５４０と、を備えている。底板５２０は、例えば、ステンレス鋼板などの金属板を用いて形成することができ、前後方向に長い矩形平板状に形成されている。なお、本実施形態では、底板５２０の周縁部分が上向きに曲げ起こされており、こうすることで底板５２０の強度の向上が図られている。また、底板５２０の中央部分には、縦横に並べて配置された複数の貫通孔５２１が設けられている。
【００３６】
天板５３０も、ステンレス鋼板などの金属板を用いて形成することができ、前後方向に長い矩形平板状に形成されている。この天板５３０の前端縁には、矩形平板状の側板５４０が下向きに垂れ下がるように形成されており、この前側に配置される側板５４０には、縦横に並べて配置された複数の貫通孔５４１が設けられている。
【００３７】
また、天板５３０の後端縁には、矩形平板状の側板５４０が下向きに垂れ下がるように形成されており、この後側に配置される側板５４０にも、前側に配置される側板５４０と同様に、縦横に並べて配置された複数の貫通孔が設けられている。さらに、天板５３０の左端縁および右端縁にも、側板５４０，５４０が下向きに垂れ下がるようにそれぞれ形成されている。これらの左端縁および右端縁に配置される側板５４０，５４０は、同一寸法の矩形平板状に形成されている。
【００３８】
次に、照明器具１０の具体的な構成を、図３〜図５に基づき説明する。なお、以下では、図１の前側に配置される照明器具１０を用いて具体的な構成を説明する。
【００３９】
照明器具１０は、図３および図４に示すように、照明器具本体１１０と、照明器具本体１１０の上側（一側）に固定される放熱部材（放熱部）１２０と、を備えており、照明器具本体１１０は、光源１３０を有している。
【００４０】
さらに、照明器具本体１１０は、光源１３０から照射された光の配光を行うレンズブロック１４０と、光源１３０およびレンズブロック１４０を覆った状態で、放熱部材１２０に固定されるカバー１６０と、放熱部材１２０とカバー１６０との間をシールするシール部材１５０と、を備えている。なお、照明器具本体１１０が、これらの部材の全てを備えている必要はなく、照明器具本体１１０は、少なくとも光源１３０を備えていればよい。
【００４１】
光源１３０は、図３および図４に示すように、実装基板１３１と、実装基板１３１に実装される複数個（図３では２２個）のＬＥＤ（発光素子）１３２と、を有している。このように、本実施形態では、複数個のＬＥＤ１３２を実装基板１３１に実装させたＬＥＤモジュールを光源１３０としている。本実施形態では、これらのＬＥＤ１３２を、実装基板１３１の下面に縦横に並ぶように実装することで光源１３０としてのＬＥＤモジュールを形成している。
【００４２】
なお、実装基板１３１は、例えば、矩形平板状のアルミ基板で構成することができ、各ＬＥＤ１３２としては、従来周知であるパッケージ型の白色ＬＥＤを用いることができる。
【００４３】
また、実装基板１３１の下面には、実装基板１３１の下面に形成された配線用の導体を介して各ＬＥＤ１３２に電気的に接続されたレセプタクルコネクタが実装されている。さらに、実装基板１３１の四隅には、円形のねじ挿通孔１３１ａがそれぞれ設けられている。
【００４４】
レンズブロック１４０は、図３および図４に示すように、ブロック本体１４１と複数のレンズ１４２とを有している。このレンズブロック１４０は、例えば、アクリル樹脂などの透光性を有する合成樹脂材料により形成することができる。本実施形態では、ブロック本体１４１と複数のレンズ１４２とを一体に形成することで、レンズブロック１４０を形成している。
【００４５】
本実施形態では、ブロック本体１４１は、矩形平板状の底板１４１ａと、底板１４１ａの周縁から上向きに突出する４つの側板１４１ｂと、を有している。また、複数のレンズ１４２は、底板１４１ａの上面に縦横に並ぶように一体に形成されている。なお、これらのレンズ１４２は、光源１３０の各ＬＥＤ１３２と一対一で対応するように設けられている。
【００４６】
また、前後方向における両側板１４１ｂ，１４１ｂおよび左側の側板１４１ｂのそれぞれには、固定片１４１ｃが一体に形成されている。これらの固定片１４１ｃは、各側板１４１ｂの長手方向における中央部分において上端縁から上向きに突出している。また、これらの固定片１４１ｃは、上下方向から視た形状が略Ｃ字形状になっている。
【００４７】
シール部材１５０は、例えば、シリコーンゴムを用いて矩形枠状に形成することができる。このシール部材１５０の四隅のそれぞれには、ボルトの外形と類似した形状の突起１５１が下向きに突出するように形成されている。また、シール部材１５０の４つの辺のそれぞれには、円形のねじ挿通孔１５２が３つずつ間隔を空けて設けられている。さらに、シール部材１５０の左右方向における２つの辺のそれぞれには、円形の貫通孔１５３が２つずつ間隔を空けて設けられている。
【００４８】
カバー１６０は、図６に示すように、カバー本体１６１と、カバー本体１６１の上端から外方に向けて延設される外鍔１６２と、を有している。このカバー本体１６１および外鍔１６２は、例えば、ポリカーボネート樹脂などの透光性を有する合成樹脂材料により一体に形成することができる。
【００４９】
カバー本体１６１は、略矩形平板状の底壁部１６３と、底壁部１６３の周縁から上向きに突出する４つの側壁部１６４と、を有しており、底壁部１６３と４つの側壁部１６４とで上方に開口する略矩形箱状に形成されている。そして、底壁部１６３の四隅に、下向きに突出する突起１６３ａがそれぞれ設けられている。また、本実施形態では、底壁部１６３と各側壁部１６４とが、弧状に湾曲する繋ぎ部１６５を介して一体に連結されている。
【００５０】
外鍔１６２は、上下方向から視た状態で略矩形枠状となるように形成されており、カバー本体１６１の開口端縁から外向きに突出するように形成されている。また、外鍔１６２の四隅には、円形の嵌合孔１６２ｂがそれぞれ設けられている。さらに、外鍔１６２の４つの辺のそれぞれには、円形のねじ挿通孔１６２ａが３つずつ間隔を空けて設けられている。また、外鍔１６２の左右方向における２つの辺の上面のそれぞれには、２つの突起１６２ｃが間隔を空けて設けられている。
【００５１】
このカバー本体１６１には、光源１３０から放射された光を拡散させるシボを複数形成するのが好ましい。こうすれば、拡散パネルを使用する必要がなくなり、グレアを低減させつつ、照明空間６１への照射効率を低下させにくくすることができるようになる。なお、拡散パネルを使用した照明器具本体１１０とすることも可能である。
【００５２】
また、作業台などにカバー１６０を置く際には、底壁部１６３を下にした状態で置かれる場合が多いが、本実施形態のように、カバー１６０の底壁部１６３の下面に突起１６３ａを設けるようにすれば、底壁部１６３の下面が傷つきにくくなるという利点がある。
【００５３】
放熱部材１２０は、例えば、アルミニウム合金などの熱伝導性に優れた材料で形成することができ、光源１３０に熱的に接続されて、光源１３０で生じた熱を外部に放熱させるものである。すなわち、本実施形態では、光源１３０を有する照明器具本体１１０が発熱する被取付部材となっており、放熱部材１２０が被取付部材で生じた熱を外部に放熱させるものとなっている。
【００５４】
この放熱部材１２０は、図３および図４に示すように、照明器具本体１１０の上側（一側）に固定されるベース部１２１と、ベース部１２１の上面に設けられて、ベース部１２１から離れる方向（上方）に突出する複数枚の放熱板１２５と、を備えている。
【００５５】
また、ベース部１２１は、複数枚の放熱板１２５が突設される略矩形板状の本体部１２３と、本体部１２３の左右方向両側に設けられた一対の縁部１２４，１２４と、を備えている。
【００５６】
また、本体部１２３（ベース部１２１）の下面には、多数のねじ孔（雌ねじ）１２３ａが設けられている。そして、このねじ孔（雌ねじ）１２３ａにねじ１３３を、実装基板１３１に形成されたねじ挿通孔１３１ａに挿通した状態で螺合させることで、光源１３０が放熱部材１２０に固定されるようにしている。
【００５７】
一対の縁部１２４，１２４は、前後方向を長手方向とする直方体状をしており、本体部１２３の左端縁および右端縁に一体に形成されている。なお、縁部１２４は、厚さ（上下方向の高さ）が本体部１２３の厚さよりも厚くなるように形成されている。
【００５８】
また、各縁部１２４，１２４の前後方向における両端面には、ねじ孔（雌ねじ）１２４ａが１つずつ設けられている。
【００５９】
また、各縁部１２４，１２４の左右方向における外側面には、ねじ孔（雌ねじ）１２４ｂが前後方向に沿って間隔を空けて複数設けられている。さらに、各縁部１２４，１２４の上面には、前後方向に並ぶように２つのねじ孔（雌ねじ）１２４ｃが設けられている。
【００６０】
そして、各放熱板１２５は略板状をしており、本体部１２３の上面に一体に形成されている。本実施形態では、各放熱板１２５は、本体部１２３の上面に、前後方向が長手方向となるようにした状態で、左右方向に間隔を空けて並ぶように配置されている。この間隔（複数の異なる幅の間隔がある場合には最大の間隔）は、後述するバドミントンのシャトル７０が備えるボール部７１の幅よりも狭くなるようにしている。なお、互いに隣り合う放熱板１２５，１２５の間の隙間（間隔）は、乗り上げてしまうのを抑制いたい物体の幅に応じて適宜設定することができる。
【００６１】
また、本実施形態では、互いに隣り合う放熱板１２５の間隔が一部異なるようにしたものを例示しているが、全ての放熱板１２５が等間隔で配置されるようにすることも可能である。
【００６２】
このように、複数枚の放熱板１２５を、少なくとも一部に間隔が形成されるようにした状態（本実施形態では、隣り合う放熱板１２５同士を完全に離間させた状態）で配置することで、本体部１２３の上面に放熱板群１２２が形成されるようにしている。
【００６３】
ここで、本実施形態では、厚さ方向（図１の左右方向）から視た状態で、２つの角が直角となる略台形状をした放熱板１２５を複数枚用いて、放熱板群１２２を形成している。
【００６４】
具体的には、同一の大きさで同一の形状をした複数枚の放熱板１２５（複数枚の略合同形状の放熱板１２５）を、左右方向に間隔を空けて配置させた状態となるように、本体部１２３の上面に一体に形成することで、放熱板群１２２が形成されるようにしている。
【００６５】
このとき、各放熱板１２５は、２つの直角部分が下側（本体部１２３側）となるようにした状態、かつ、短辺が前後方向の前側（一方側）に位置するようにした状態で、本体部１２３の上面に突設されている。なお、略台形状の放熱板１２５は、長辺が前後方向の後側（他端側）に位置することとなり、斜辺の傾斜方向が全て同一方向（前方かつ下方）を向くこととなる。
【００６６】
さらに、本実施形態では、各放熱板１２５は、本体部１２３の上面における前後方向の前端から後端にかけて延在するように形成されている。すなわち、各放熱板１２５の前後方向の長さと本体部１２３の前後方向の長さとが略同一の長さとなるようにしている。こうすることで、光源１３０で生じた熱を、より効率的に外部に放熱させることができるようにしている。
【００６７】
このように、本実施形態では、放熱板群１２２は、左右方向から視た状態で、本体部１２３の幅方向（前後方向）の一端（前端）から他端（後端）にかけて存在するように形成されている。
【００６８】
したがって、本実施形態では、本体部１２３の上面のほぼ全体に、略台形状の四角柱で近似される放熱板群１２２が形成されることとなる。なお、この四角柱で近似される放熱板群１２２は、上端に本体部１２３の幅方向（前後方向）の一端（前端）から他端（後端）にかけて傾斜する傾斜面が形成されるようにした状態で、本体部１２３の上面に配置されている。
【００６９】
また、略台形状の四角柱で近似される放熱板群１２２は、表面１２６を、複数の放熱板１２５の端面１２７が位置する領域Ｒを近似する仮想面Ｃで表すことができる。
【００７０】
具体的には、放熱板群１２２の前側面１２６ａを、複数の放熱板１２５の前端面１２７ａが位置する前側領域Ｒ１を近似する仮想前面Ｃ１で表すことができる。また、放熱板群１２２の上面１２６ｂを、複数の放熱板１２５の上端面１２７ｂが位置する上側領域Ｒ２を近似する仮想上面Ｃ２で表すことができる。そして、放熱板群１２２の後側面１２６ｃを、複数の放熱板１２５の後端面１２７ｃが位置する後側領域Ｒ３を近似する仮想後面Ｃ３で表すことができる。
【００７１】
このように放熱板群１２２の表面１２６を仮想面Ｃで表した場合、本実施形態では、照明器具１０をある方向から視たときに、放熱板群１２２の表面１２６が、照明器具本体１１０から離れる方向に向けて先細りとなるテーパ部１２８を有するようにすることができる。
【００７２】
本実施形態では、放熱板群１２２は、照明器具本体１１０の上側に放熱板群１２２が配置されるようにした状態の照明器具１０を左右方向から視たときに、表面１２６が上方に向けて先細りとなるテーパ部１２８を有するように形成されている。
【００７３】
このとき、テーパ部１２８は、始点１２８ａが放熱板群１２２の前端（幅方向一端）の点Ｐ１および後端（幅方向他端）の点Ｐ２となり、終点１２８ｂが最上部に形成された頂点Ｐ３となっている。
【００７４】
さらに、本実施形態では、テーパ部１２８は、前端（幅方向一端）の点Ｐ１と頂点Ｐ３とを結ぶ直線状の線分Ｌ１と、後端（幅方向他端）の点Ｐ２と頂点Ｐ３とを結ぶ直線状の線分Ｌ２と、で形成されている。
【００７５】
このようなテーパ部１２８は、図５（ｂ）に示すように、放熱板１２５の高さ（本体部１２３の上面からの突出量）を、前後方向の前端（幅方向の一端）から前後方向の後端（幅方向の他端）に向かうにつれて徐々に高くなるようにすることで形成することができる。
【００７６】
このように、本実施形態では、照明器具１０を図５（ｂ）に示す状態とした際に、放熱板群１２２が、前端（幅方向一端）の点Ｐ１および後端（幅方向他端）の点Ｐ２から頂点Ｐ３に向けて先細り形状となるようにしている。言い換えると、照明器具１０を図５（ｂ）に示す状態とした際に、放熱板群１２２の表面１２６に、頂点Ｐ３を最上位とし、この頂点Ｐ３から本体部１２３の幅方向のほぼ両端まで広がるように拡開するテーパ部１２８が形成されるようにしている。
【００７７】
そして、本実施形態では、照明器具１０を図５（ｂ）に示す状態とした際には、放熱板群１２２に、テーパ部１２８と、本体部１２３の幅方向の前端（幅方向一端）の点Ｐ１と後端（幅方向他端）の点Ｐ２とを結ぶ直線で形成される１つの三角形が形成されるようにしている。
【００７８】
かかる形状をした照明器具１０は、例えば、下記の手順で組み立てることができる。なお、下記に示す手順は一例であり、照明器具１０の組立は、下記の手順以外の手順により行うことが可能である。
【００７９】
まず、光源１３０を放熱部材１２０のベース部１２１の下面に載せた後、ねじ挿通孔１３１ａに通したねじ１３３をベース部１２１のねじ孔１２３ａに螺合させる。こうして、光源１３０を放熱部材１２０に固定する。
【００８０】
次に、レンズブロック１４０を光源１３０に被せた状態で、レンズブロック１４０の各固定片１４１ｃの溝に通したねじをベース部１２１のねじ孔１２３ａに螺合させる。こうして、レンズブロック１４０を放熱部材１２０に固定する。このとき、レンズブロック１４０は、各レンズ１４２が対応するＬＥＤ１３２の下方に位置するように配置された状態で、放熱部材１２０に固定されている。
【００８１】
次に、シール部材１５０の４つの突起１５１を、カバー１６０の外鍔１６２の四隅に設けた嵌合孔１６２ｂにそれぞれ嵌め込む。こうして、シール部材１５０をカバー１６０に取り付ける。このとき、外鍔１６２の上面より上向きに突出する突起１６２ｃは、シール部材１５０の貫通孔１５３に挿通されている。
【００８２】
その後、シール部材１５０を取り付けたカバー１６０をレンズブロック１４０に被せた状態で、外鍔１６２のねじ挿通孔１６２ａに通したねじ１６６をベース部１２１のねじ孔１２３ａに螺合させる。こうして、カバー１６０を放熱部材１２０に固定する。
【００８３】
こうすることで、照明器具１０が組み立てられる（図５参照）。
【００８４】
なお、上記の組立手順では、放熱部材１２０に照明器具本体１１０の各部材（光源１３０、レンズブロック１４０、シール部材１５０が取り付けられたカバー１６０）を順次取り付けることで、放熱部材１２０と照明器具本体１１０とを固定させるようにしたものを例示している。すなわち、照明器具本体１１０を構成する各部材（光源１３０、レンズブロック１４０、シール部材１５０が取り付けられたカバー１６０）を放熱部材１２０の下側に取り付けることで、初めて照明器具本体１１０が組み立てられるようにしたものを例示している。
【００８５】
しかしながら、照明器具１０の組立方法は、このような方法に限定されるものではない。
【００８６】
例えば、図９や図１０に示すように、予め組み立てられた照明器具本体１１０に、放熱部材１２０を取り付けることで、照明器具１０が組み立てられるようにすることも可能である。
【００８７】
図９および図１０では、予め組み立てられた照明器具本体１１０の上側（一側）に、放熱部材１２０を着脱可能に取り付けることができるようにした照明器具１０を例示している。
【００８８】
すなわち、図９および図１０に示す放熱部材１２０は、照明器具本体１１０の上側（一側）に取り付けられるベース部１２１と、ベース部１２１から突設された放熱板群１２２と、を備えている。そして、ベース部１２１が照明器具本体１１０の上側（一側）に着脱可能に取り付けられるようになっている。
【００８９】
ここで、図９に示す照明器具１０では、放熱部材１２０の照明器具本体１１０への着脱をスライド機構８０によって行うようにしている。
【００９０】
具体的には、予め組み立てられた照明器具本体１１０が照明器具本体側のベース部１７０を有しており、このベース部１７０に各部材（光源１３０、レンズブロック１４０、シール部材１５０が取り付けられたカバー１６０）を取り付けることで、照明器具本体１１０が組み立てられている。なお、照明器具１０の組立方法は、例えば、上述した照明器具１０の組立方法に準じた方法で行うことができる。
【００９１】
そして、図９に示すように、ベース部１７０の左右方向両端には、スライド溝１７１が形成されている。また、放熱部材１２０のベース部１２１（縁部１２４の先端側）には、スライド溝１７１内に挿入されて、スライド溝１７１にガイドされながら前後方向にスライドするスライド突部１２４ｄが形成されている。
【００９２】
このように、図９に示す照明器具１０では、スライド機構８０がスライド溝１７１およびスライド突部１２４ｄを有しており、このスライド機構８０によって放熱部材１２０の照明器具本体１１０への着脱が行われるようにしている。なお、図９に示す照明器具１０では、放熱部材１２０のベース部１２１に形成されたねじ孔１２１ａを、照明器具本体側のベース部１７０に形成されたねじ孔１７２に連通させた状態で、ねじ孔１２１ａおよびねじ孔１７２にねじ１２１ｂを螺合させることで、放熱部材１２０の照明器具本体１１０への固定が行われるようにしている。なお、ねじ孔の位置や数は様々に設定することができる。また、放熱部材１２０の照明器具本体１１０への固定は、ねじ１２１ｂを用いて行うものに限定されるものではない。
【００９３】
一方、図１０に示す照明器具１０では、放熱部材１２０の照明器具本体１１０への着脱を嵌め込み機構９０によって行うようにしている。
【００９４】
具体的には、図９に示す照明器具１０と同様に、予め組み立てられた照明器具本体１１０が照明器具本体側のベース部１７０を有しており、このベース部１７０に各部材（光源１３０、レンズブロック１４０、シール部材１５０が取り付けられたカバー１６０）を取り付けることで、照明器具本体１１０が組み立てられている。なお、図１０に示す照明器具１０の組立方法も、例えば、上述した照明器具１０の組立方法に準じた方法で行うことができる。
【００９５】
そして、図１０に示すように、ベース部１７０の４隅には係合爪１７３が上方に突出するように設けられている。また、放熱部材１２０のベース部１２１（各縁部１２４の前後方向両端）には、係合爪１７３に係合する係合片１２４ｅが形成されている。
【００９６】
このように、図１０に示す照明器具１０では、嵌め込み機構９０が係合爪１７３および係合片１２４ｅを有しており、この嵌め込み機構９０によって放熱部材１２０の照明器具本体１１０への着脱が行われるようにしている。なお、図１０に示す照明器具１０では、放熱部材１２０の照明器具本体１１０への着脱は、放熱部材１２０を照明器具本体１１０に対して相対的に上下方向に移動させることで行われる。
【００９７】
また、図１０に示す照明器具１０では、各縁部１２４の係合片１２４ｅの近傍に位置決め用の段差部１２４ｆが形成されており、放熱部材１２０を照明器具本体１１０に嵌め込んだ際に、放熱部材１２０の照明器具本体１１０への固定も行われるようにしている。また、放熱部材１２０の照明器具本体１１０への固定は、嵌め込み機構９０および段差部１２４ｆによって行うものに限定されるものではない。
【００９８】
また、上述の照明器具１０を用いた照明装置１は、例えば、下記の手順で組み立てることができる。なお、下記に示す手順も一例であり、照明装置１の組立も、下記の手順以外の手順により行うことが可能である。
【００９９】
まず、２つの照明器具１０，１０を前後方向に並べて配置する。このとき、前後方向前側の照明器具１０は、放熱板群１２２の傾斜面（上面１２６ｂ）が前方かつ下方に傾斜するように配置し、前後方向後側の照明器具１０は、放熱板群１２２の傾斜面（上面１２６ｂ）が後方かつ下方に傾斜するように配置する。そして、かかる状態で、両照明器具１０，１０の放熱部材１２０，１２０の縁部１２４，１２４と、各アーム取付部材４０，４０の固定部４１０，４１０と、をそれぞれ嵌合させる。
【０１００】
次に、第１連結部２１０の段差に固定部４１０を合わせるようにして、連結部材２０を固定部４１０と両側の縁部１２４に重ねる。
【０１０１】
その後、連結部材２０の両側の第２連結部２２０，２２０を各照明器具１０，１０の縁部１２４，１２４にねじ止めし、さらに固定部４１０と第１連結部２１０とを各照明器具１０，１０の縁部１２４，１２４にねじ止めする。こうすることで、２つの照明器具１０，１０が連結部材２０によって連結される。
【０１０２】
次に、電源ユニット５０を一対のアーム取付部材４０，４０に取り付ける。このとき、電源ユニット５０のケース５１０を構成する底板５２０に設けられた貫通孔にねじを通した状態で、当該ねじを各取付部４２０のねじ孔にそれぞれ螺合させることで、電源ユニット５０が一対のアーム取付部材４０に取り付けられる。その後、電源ユニット５０から引き出された出力ケーブルの結線作業を行う。
【０１０３】
その後、支持板３２０の２つのねじ挿通孔に通したねじ３３０，３３０を、アーム取付部材４０の軸受け部４３０の２つのねじ孔にそれぞれ螺合させることで、アーム３０をアーム取付部材４０に取り付ける。
【０１０４】
こうして、照明装置１が組み立てられる（図１および図２参照）。
【０１０５】
上記の手順により組み立てられた照明装置１は、例えば、以下の方法により、体育館やホールなどの天井（高天井）に固定させることができる。
【０１０６】
まず、天井（高天井）から吊り下げ固定された一対の吊りボルト（被固定部６０）をアーム３０のボルト挿通孔３１１，３１２にそれぞれ挿通させる。そして、ボルト挿通孔３１１，３１２に挿通した状態の一対の吊りボルト（被固定部６０）をナットでそれぞれ締め付ける。
【０１０７】
こうして、照明装置１が体育館やホールなどの天井（高天井）に固定される。
【０１０８】
このとき、照明器具１０，１０は、照明器具本体１１０が下側、放熱部材１２０が上側となるようにした状態で配置されている。したがって、主として照明空間６１における照明器具１０，１０の下方の空間が照明器具１０，１０から照射された光によって照明されることとなる。そして、各照明器具１０，１０の放熱部材（放熱部）１２０，１２０は、放熱板群１２２の傾斜面（上面１２６ｂ）が前後方向の中央側から外側（前側および後側）に向けて下方に傾斜することとなる。
【０１０９】
さらに、照明器具１０，１０の各放熱部材（放熱部）１２０，１２０は、光源１３０からの光が照射される照明空間６１に露出している。
【０１１０】
このようにして照明装置１を体育館やホールなどの天井（高天井）に固定した場合、放熱板群１２２の上面１２６ｂを傾斜させていないと、この上面１２６ｂ上にバドミントンのシャトル７０等の物体が落下した際に、シャトル７０等の物体が上面１２６ｂ上に乗り上げてしまうことがある（図７参照）。なお、シャトル７０は、ボール部７１と、ボール部７１に取り付けられる羽根部７２と、を有する物体である。
【０１１１】
図７に示す照明器具１０では、略矩形板状で合同形状の放熱板１２５が複数用いられている。そして、複数の放熱板１２５を、左右方向に間隔を空けて配置させた状態となるように、本体部１２３の上面に一体に形成することで、放熱板群１２２を形成している。そのため、放熱板群１２２の上面１２６ｂが略水平に延在する平坦面になっている。
【０１１２】
さらに、図７に示す照明器具１０では、ボール部７１の幅よりも狭い間隔で並ぶように複数の放熱板１２５，１２５を配置することで、放熱板群１２２が形成されるようにしている。そのため、互いに隣り合う放熱板１２５，１２５の間の隙間に、シャトル７０等の物体が入り込んでしまうのを抑制することはできるようになっている。しかしながら、上述したように、図７に示す放熱板群１２２では、上面１２６ｂが略水平に延在する平坦面になっているため、物体が放熱板群１２２の上面１２６ｂに乗り上げやすくなっている。
【０１１３】
これに対して、本実施形態では、放熱板群１２２の上面１２６ｂを前後方向の中央側から外周側（前側および後側）に向けて下方に傾斜させている。さらに、ボール部７１の幅よりも狭い間隔で並ぶように複数の放熱板１２５，１２５を配置することで、放熱板群１２２が形成されるようにしている。そのため、上面１２６ｂ上にバドミントンのシャトル７０等の物体が落下したとしても、シャトル７０等の物体を上面１２６ｂに沿って落下させることができるようになる（図８参照）。したがって、放熱板１２５の上部にバドミントンのシャトル７０等の物体が乗り上げてしまうのを抑制することができるようになる。
【０１１４】
なお、本実施形態では、放熱板群１２２の上方には、上部が平坦面となるように配置された電源ユニット５０が存在している。そのため、本実施形態にかかる照明装置１では、バドミントンのシャトル７０等の物体が電源ユニット５０の上部に乗り上げてしまう可能性がある。
【０１１５】
しかしながら、本実施形態では、従来の構成と較べて、放熱板１２５の上部にバドミントンのシャトル７０等の物体が乗り上げてしまう可能性を低くすることができるため、その分だけ照明装置１上にバドミントンのシャトル７０等の物体が乗り上げてしまう可能性を低くすることができる。
【０１１６】
さらに、電源ユニット５０の上部（天板５３０および側板５４０）を傾斜面としたり、電源ユニット５０を照明空間６１に露出させないようにしたりすれば、照明装置１上にバドミントンのシャトル７０等の物体が乗り上げてしまう可能性をより低くすることができるようになる。
【０１１７】
また、本実施形態では、左右方向から視た状態で、放熱板群１２２に前後方向の一端（照明装置１を組み立てた場合における中央部）から他端（照明装置１を組み立てた場合における外周部）にかけて下方に傾斜するテーパ部１２８を形成したものを例示している。しかしながら、放熱板群１２２の形状は、これに限られるものではなく、例えば、図１１や図１２に示す放熱板群１２２とすることができる。
【０１１８】
図１１および図１２には、前後方向から視た状態でテーパ部１２８が形成されるものを例示している。
【０１１９】
具体的には、図１１および図１２に示す照明器具１０では、略矩形板状で高さの異なる放熱板１２５を複数用いて、放熱板群１２２を形成している。
【０１２０】
そして、上記実施形態と同様に、複数枚の放熱板１２５を、左右方向に間隔を空けて配置させた状態となるように、本体部１２３の上面に一体に形成することで、放熱板群１２２が形成されるようにしている。
【０１２１】
このとき、図１１では、放熱板１２５の高さが、左右方向（幅方向）の両端から中央に向かうにつれて徐々に高くなるようにしている。すなわち、図１１に示す放熱板群１２２は、前後方向から視た状態で、上方に突出する略山型となるように形成されている。
【０１２２】
この図１１に示す放熱板群１２２の表面１２６も、複数の放熱板１２５の端面１２７が位置する領域Ｒを近似する仮想面Ｃで表すことができる。
【０１２３】
具体的には、放熱板群１２２の上面１２６ｂを、複数の放熱板１２５の上端面１２７ｂが位置する上側領域Ｒ２を近似する仮想上面Ｃ２で表すことができる。
【０１２４】
このように放熱板群１２２の表面１２６を仮想面Ｃで表した場合、前後方向から視た状態で、放熱板群１２２の表面１２６が、照明器具本体１１０から離れる方向に向けて先細りとなるテーパ部１２８を有するようにすることができる。
【０１２５】
図１１に示す放熱板群１２２は、照明器具本体１１０の上側に放熱板群１２２が配置されるようにした状態の照明器具１０を前後方向から視たときに、表面１２６が上方に向けて先細りとなるテーパ部１２８を有するように形成されている。
【０１２６】
このとき、テーパ部１２８は、始点１２８ａが放熱板群１２２の左端（幅方向一端）の点Ｐ１および右端（幅方向他端）の点Ｐ２となり、終点１２８ｂが最上部に形成された頂点Ｐ３となっている（図１１（ｂ）参照）。
【０１２７】
さらに、本実施形態では、テーパ部１２８は、左端（幅方向一端）の点Ｐ１と頂点Ｐ３とを結ぶ直線状の線分Ｌ１と、右端（幅方向他端）の点Ｐ２と頂点Ｐ３とを結ぶ直線状の線分Ｌ２と、で形成されている。
【０１２８】
このように、図１１に示す照明器具１０では、当該照明器具１０を図１１（ｂ）に示す状態とした際に、放熱板群１２２が、左端（幅方向一端）の点Ｐ１および右端（幅方向他端）の点Ｐ２から頂点Ｐ３に向けて先細り形状となるようにしている。言い換えると、照明器具１０を図１１（ｂ）に示す状態とした際に、放熱板群１２２の表面１２６に、頂点Ｐ３を最上位とし、この頂点Ｐ３から本体部１２３の幅方向のほぼ両端まで広がるように拡開するテーパ部１２８が形成されるようにしている。
【０１２９】
そして、本実施形態では、照明器具１０を図１１（ｂ）に示す状態とした際には、放熱板群１２２に、テーパ部１２８と、本体部１２３の幅方向の左端（幅方向一端）の点Ｐ１と右端（幅方向他端）の点Ｐ２とを結ぶ直線で形成される１つの三角形が形成されるようにしている。
【０１３０】
一方、図１２では、放熱板１２５の高さが、左右方向（幅方向）の左端（一端）から右端（他端）に向かうにつれて徐々に高くなるようにしている。すなわち、図１２に示す放熱板群１２２は、前後方向から視た状態における輪郭形状が、上記実施形態で示した放熱板群１２２を、左右方向から視た状態における輪郭形状とほぼ同一となるように形成されている。
【０１３１】
この図１２に示す放熱板群１２２の表面１２６も、複数の放熱板１２５の端面１２７が位置する領域Ｒを近似する仮想面Ｃで表すことができる。
【０１３２】
具体的には、放熱板群１２２の前側面１２６ａを、複数の放熱板１２５の前端面１２７ａが位置する前側領域Ｒ１を近似する仮想前面Ｃ１で表すことができる。また、放熱板群１２２の上面１２６ｂを、複数の放熱板１２５の上端面１２７ｂが位置する上側領域Ｒ２を近似する仮想上面Ｃ２で表すことができる。そして、放熱板群１２２の後側面１２６ｃを、複数の放熱板１２５の後端面１２７ｃが位置する後側領域Ｒ３を近似する仮想後面Ｃ３で表すことができる。
【０１３３】
このように放熱板群１２２の表面１２６を仮想面Ｃで表した場合、前後方向から視た状態で、放熱板群１２２の表面１２６が、照明器具本体１１０から離れる方向に向けて先細りとなるテーパ部１２８を有するようにすることができる。
【０１３４】
図１２に示す放熱板群１２２は、照明器具本体１１０の上側に放熱板群１２２が配置されるようにした状態の照明器具１０を前後方向から視たときに、表面１２６が上方に向けて先細りとなるテーパ部１２８を有するように形成されている。
【０１３５】
このとき、テーパ部１２８は、始点１２８ａが放熱板群１２２の左端（幅方向一端）の点Ｐ１および右端（幅方向他端）の点Ｐ２となり、終点１２８ｂが最上部に形成された頂点Ｐ３となっている（図１２（ｂ）参照）。
【０１３６】
さらに、本実施形態では、テーパ部１２８は、左端（幅方向一端）の点Ｐ１と頂点Ｐ３とを結ぶ直線状の線分Ｌ１と、右端（幅方向他端）の点Ｐ２と頂点Ｐ３とを結ぶ直線状の線分Ｌ２と、で形成されている。
【０１３７】
このように、図１２に示す照明器具１０では、当該照明器具１０を図１２（ｂ）に示す状態とした際に、放熱板群１２２が、左端（幅方向一端）の点Ｐ１および右端（幅方向他端）の点Ｐ２から頂点Ｐ３に向けて先細り形状となるようにしている。言い換えると、照明器具１０を図１２（ｂ）に示す状態とした際に、放熱板群１２２の表面１２６に、頂点Ｐ３を最上位とし、この頂点Ｐ３から本体部１２３の幅方向のほぼ両端まで広がるように拡開するテーパ部１２８が形成されるようにしている。
【０１３８】
そして、本実施形態では、照明器具１０を図１２（ｂ）に示す状態とした際には、放熱板群１２２に、テーパ部１２８と、本体部１２３の幅方向の左端（幅方向一端）の点Ｐ１と右端（幅方向他端）の点Ｐ２とを結ぶ直線で形成される１つの三角形が形成されるようにしている。
【０１３９】
以上、説明したように、本実施形態では、照明装置１は、光源１３０を有する照明器具本体１１０と、照明器具本体１１０の上側（一側）に固定されて光源１３０で生じた熱を放熱させる放熱部材（放熱部）１２０と、を有している。この照明装置１は、放熱部材（放熱部）１２０を光源１３０からの光が照射される照明空間６１に露出させた状態で被固定部６０に固定されるものである。
【０１４０】
また、本実施形態にかかる放熱部材１２０は、照明器具本体（発熱する被取付部材）１１０に取り付けられて、被取付部材で生じた熱を放熱させるものである。
【０１４１】
この放熱部材１２０は、照明器具本体１１０から離れる方向に延在するように突設された複数の放熱板１２５で構成される放熱板群１２２を有している。
【０１４２】
ここで、複数の放熱板１２５の端面１２７が位置する領域Ｒを近似する仮想面Ｃを放熱板群１２２の表面１２６とした場合、照明器具本体１１０の上側に放熱板群１２２が配置されるようにした状態における側面視で、放熱板群１２２の表面１２６が、上方に向けて先細りとなるテーパ部１２８を有するようにしている。
【０１４３】
そして、このテーパ部１２８は、始点１２８ａが放熱板群１２２の幅方向一端の点Ｐ１および幅方向他端の点Ｐ２となっており、終点１２８ｂが最上部に形成された頂点Ｐ３となっている。
【０１４４】
こうすることで、放熱板群１２２の上面１２６ｂ上にバドミントンのシャトル７０等の物体が落下したとしても、シャトル７０等の物体を上面１２６ｂに沿って落下させることができるようになる。したがって、放熱板１２５の上部にバドミントンのシャトル７０等の物体が乗り上げてしまうのを抑制することができるようになる。
【０１４５】
このように、本実施形態によれば、放熱板１２５の上部に物体が乗り上げてしまうのを抑制することのできる照明装置１および放熱部材１２０を得ることができる。
【０１４６】
また、テーパ部１２８を、幅方向一端の点Ｐ１と頂点Ｐ３とを結ぶ直線状の線分Ｌ１と、幅方向他端の点Ｐ２と頂点Ｐ３とを結ぶ直線状の線分Ｌ２と、で形成されるようにすることができる。
【０１４７】
また、放熱板１２５の高さを、幅方向の一端から他端に向かうにつれて高くすることでテーパ部１２８を形成することもできる。
【０１４８】
また、放熱板１２５の高さを、幅方向の両端から中央に向かうにつれて高くすることでテーパ部１２８を形成することもできる。
【０１４９】
このように、直線状のテーパ部１２８としたり、放熱板１２５の高さを変えることでテーパ部１２８を形成したりすれば、上部に物体が乗り上げてしまうのを抑制することのできる放熱板群１２２をより容易に製造することができるようになる。
【０１５０】
また、照明器具本体１１０の一側に着脱可能に取り付けられるベース部１２１と、ベース部１２１から突設された放熱板群１２２と、を備える放熱部材１２０で放熱部を川迫うするようにしてもよい。
【０１５１】
こうすれば、放熱部材１２０だけを取り替えることができるようになるため、例えば、照明器具１０に何らかの不具合が生じた場合等に、照明器具１０の全体を取り替える必要がなくなって、コストの削減を図ることができるようになる。また、複数種類の放熱部材（放熱板１２５の形状や本数が異なる放熱部材）を用意すれば、照明器具本体１１０に取り付ける放熱部材を用途に応じて適宜選択することができるようになる。
【０１５２】
また、放熱部材１２０の照明器具本体１１０への着脱がスライド機構８０により行われるようにすることができる。
【０１５３】
また、放熱部材１２０の照明器具本体１１０への着脱が嵌め込み機構９０により行われるようにすることもできる。
【０１５４】
このように、スライド機構８０や嵌め込み機構９０によって放熱部材１２０の照明器具本体１１０への着脱を行うようにすれば、より容易に放熱部材１２０の照明器具本体１１０への着脱を行うことができるようになる。
【０１５５】
以上、本発明の好適な実施形態について説明したが、本発明は上記実施形態には限定されず、種々の変形が可能である。
【０１５６】
例えば、上記実施形態およびその変形例では、照明装置として、いわゆる高天井用の照明装置を例示したが、これに限られるものではない。例えば、道路灯や街路灯などの照明装置に本発明を適用させることもできる。
【０１５７】
また、上記実施形態およびその変形例では、光源としてＬＥＤを用いたものを例示したが、これに限られるものではなく、例えば、ハロゲンランプなどで光源を構成することも可能である。
【０１５８】
また、上記実施形態およびその変形例では、前後方向または左右方向から視た際に、テーパ部が形成される放熱板群を例示したが、前後方向および左右方向から視た際に、テーパ部が形成される放熱板群とすることもできる。このような放熱板群は、例えば、放熱板群の形状を、上方に突出する四角錐状となるようにすることで得ることができる。
【０１５９】
また、テーパ部が形成される方向も、前後方向や左右方向から視た場合に限られるものではない。すなわち、放熱板群の形状は、照明器具本体の上側に放熱板群が配置されるようにした状態の照明器具を、上下方向を中心として１回転させるまでに、少なくとも１回テーパ部が形成されるような形状になっていればよい。
【０１６０】
また、テーパ部の形状も上端から下端まで直線状をしている必要はなく、若干湾曲していたり屈曲していたりしてもよい。
【０１６１】
また、照明器具本体に着脱させることができない状態で放熱部が固定されている照明器具とすることも可能である。
【０１６２】
また、照明器具本体や放熱部、その他細部のスペック（形状、大きさ、レイアウト等）も適宜に変更可能である。
【符号の説明】
【０１６３】
１  照明装置
６０  天井（被固定部）
６１  照明空間
７０  シャトル（物体）
８０  スライド機構
９０  嵌め込み機構
１１０  照明器具本体（被取付部材）
１２０  放熱部材（放熱部）
１２１  ベース部
１２２  放熱板群
１２５  放熱板
１２６  表面
１２７  端面
１２８  テーパ部
１２８ａ  始点
１２８ｂ  終点
１３０  光源
Ｃ  仮想面
Ｌ１  線分
Ｌ２  線分
Ｐ１  幅方向一端の点
Ｐ２  幅方向他端の点
Ｐ３  頂点
Ｒ  領域
【図１】
2018101479.tif 000003
【図２】
2018101479.tif 000004
【図３】
2018101479.tif 000005
【図４】
2018101479.tif 000006
【図５】
2018101479.tif 000007
【図６】
2018101479.tif 000008
【図７】
2018101479.tif 000009
【図８】
2018101479.tif 000010
【図９】
2018101479.tif 000011
【図１０】
2018101479.tif 000012
【図１１】
2018101479.tif 000013
【図１２】
2018101479.tif 000014